(57)【要約】【課題】  簡単な構成により消費電力を抑えながら、結露の発生が防止できる画像形成装置を提供することを目的とする。【解決手段】  装置本体内に、本体装置の温度上昇による影響を受けにくい場所に設置され、装置本体の外側近傍の温度を検知する温度検知手段３と、感光体の近傍に配設された除湿ヒータ４と、除湿ヒータ５への通電を制御するとともに、温度検知手段３が検知した検知温度が入力される制御手段８０と、電源ＡＣと除湿ヒータ４との間に設けられた開閉器６４とを備え、温度検知手段３が検知した検知温度を基準に、装置本体内の湿気の状態を判別し、当該判別結果に基づき、開閉器６４を開閉して除湿ヒータ４への通電を制御する。【選択図】  図２
2006064764.tif 000002
【特許請求の範囲】
【請求項１】
電源に接続され、装置本体への電力供給をオン・オフする電源スイッチと、前記装置本体内に配設され、電子写真プロセスによって、感光体上に形成された潜像画像を現像し、前記感光体上に現像されたトナー像を被記録用紙上に転写して前記被記録用紙にトナー像を形成する画像形成手段と、未定着の前記トナー像を前記被記録用紙に定着する定着手段とを備えた画像形成装置において、
前記装置本体内に、前記装置本体の温度上昇による影響を受けにくい場所に設置され、前記装置本体の外側近傍の温度を検知する温度検知手段と、前記感光体の近傍に配設された除湿ヒータと、前記除湿ヒータへの通電を制御するとともに、前記温度検知手段が検知した検知温度が入力される制御手段と、前記電源と前記除湿ヒータとの間に設けられた開閉器とを備え、前記制御手段は、前記温度検知手段が検知した検知温度を基準に前記装置本体内の湿気の状態を判別し、当該判別結果に基づき、前記開閉器を開閉して前記除湿ヒータへの通電を制御することを特徴とする画像形成装置。
【請求項２】
電源に接続され、装置本体への電力供給をオン・オフする電源スイッチと、原稿を露光用光源で照射し、原稿の画像面で反射された原稿反射光をレンズ群に導入し、前記レンズ群により集光した原稿反射光を受光して電気信号に変換して画像を読み取る画像読取手段と、前記装置本体内に配設され、電子写真プロセスによって、感光体上に形成された潜像画像を現像し、前記感光体上に現像されたトナー像を被記録用紙上に転写して前記被記録用紙にトナー像を形成する画像形成手段と、未定着の前記トナー像を前記被記録用紙に定着する定着手段とを備えた画像形成装置において、
前記装置本体内に、前記装置本体の温度上昇による影響を受けにくい場所に設置され、前記装置本体の外側近傍の温度を検知する温度検知手段と、前記画像読取手段の近傍および前記感光体の各々の近傍に配設された除湿ヒータと、前記除湿ヒータへの通電を制御するとともに、前記温度検知手段が検知した検知温度が入力される制御手段と、前記電源と前記除湿ヒータとの間に設けられた開閉器とを備え、前記制御手段は、前記温度検知手段が検知した検知温度を基準に、前記装置本体内の湿気の状態を判別し、当該判別結果に基づき、前記開閉器を開閉して前記除湿ヒータへの通電を制御することを特徴とする画像形成装置。
【請求項３】
前記制御手段は、前記電源スイッチがオフの状態で、前記温度検知手段により周期的に温度を検知し、連続する前後に検知した検知温度を比較し、後に検知した検知温度から前に検知した事前検知温度を減算した温度差が、予め設定した温度差基準値以上のときに、前記除湿ヒータへの通電を開始し、前記電源スイッチがオンされたときに、前記除湿ヒータへの通電を停止することを特徴とする請求項１または請求項２に記載の画像形成装置。
【請求項４】
前記制御手段は、前記電源スイッチがオフの状態で、前記温度検知手段により周期的に温度を検知し、連続する前後に検知した検知温度を比較し、後に検知した検知温度から前に検知した事前検知温度を減算した温度差が、予め設定した温度差基準値以上で、かつ、前記後に検知した検知温度が、予め設定した上限基準温度以下のときに、前記除湿ヒータへの通電を開始し、前記電源スイッチがオンされたときに、前記除湿ヒータへの通電を停止することを特徴とする請求項１または請求項２に記載の画像形成装置。
【請求項５】
前記制御手段は、前記電源スイッチがオフの状態で、前記温度検知手段により周期的に温度を検知し、連続する前後に検知した検知温度を比較し、後に検知した検知温度から前に検知した事前検知温度を減算した温度差が、予め設定した温度差基準値以上で、かつ、予め設定した一定時間内に前記温度検知手段により検知した最高温度から最低温度を減算した温度差が、予め設定した高低差基準値以上のときに、前記除湿ヒータへの通電を開始し、前記電源スイッチがオンされたときに、前記除湿ヒータへの通電を停止することを特徴とする請求項１または請求項２に記載の画像形成装置。
【請求項６】
前記制御手段は、前記電源スイッチがオフの状態で、前記温度検知手段により周期的に温度を検知し、連続する前後に検知した検知温度を比較し、後に検知した検知温度から前に検知した事前検知温度を減算した温度差が、予め設定した温度差基準値以上であるとともに、前記後に検知した検知温度が、予め設定した上限基準温度以下で、かつ、予め設定した一定時間内に前記温度検知手段により検知した最高温度から最低温度を減算した温度差が、予め設定した高低差基準値以上のときに、前記除湿ヒータへの通電を開始し、前記電源スイッチがオンされたときに、前記除湿ヒータへの通電を停止することを特徴とする請求項１または請求項２に記載の画像形成装置。
【発明の詳細な説明】
【技術分野】
【０００１】
本発明は、複写機、プリンタ、ファクシミリなどの画像形成装置、特に電源オフ時における結露防止機能を備えた画像形成装置に関する。
【背景技術】
【０００２】
一般的に、複写機、プリンタ、ファクシミリなどの画像形成装置においては、本体装置の内部に結露を生じることがある。本体装置の内部の温度は、電源がオフの状態では、画像形成装置が設置されている事務所などの室内の最低温度近くまで低下する。夜明けや空調開始に伴って、事務所などの室温が上昇するが、本体装置の内部は、装置本体により略密閉されていることから、室温の温度上昇に比較して、非常にゆっくりと上昇し、このときの温度差が原因で結露が発生する。特に、画像形成装置の電源がオンされることにより、室内の温度の高い外気が本体装置の内部に導入されることにより、より一層結露が顕著になる。このような結露が、画像形成手段の潜像画像が形成される感光体や原稿を読み取る読取手段の光学系であるミラーおよびレンズなどに発生すると、その状態で画像形成を行うと画質不良が生じる。
【０００３】
この対策として、感光体の結露を防止する電熱ヒータと、感光体の外側近傍の温度を検出する温度センサと、感光体の外側近傍の湿度を検出する湿度センサとを用い、温度センサで検出した温度と湿度センサで検出した湿度を基に結露条件を判断し、電熱ヒータへの通電を制御するようにしたものがある。
（例えば、特許文献１参照）。
【０００４】
また、画像読取手段の光学系ユニットにおける感光体直前の最終ミラーの近傍に結露状態検出用光センサを設け、画像形成装置の電源投入時にコピーランプを一時的に動作させ、そのときの最終ミラーからの反射光量検出レベルを結露状態検出用光センサで受光し、そのレベルが所定値よりも小さいときは除湿装置を一定時間動作させるようにしたものがある。
（例えば、特許文献２参照）。
【特許文献１】特許平８−８７２２８号公報
【特許文献２】特許平６−５９５４８号公報
【発明の開示】
【発明が解決しようとする課題】
【０００５】
ところが、上述の特許文献１記載の構成では、温度センサと湿度センサとの２個のセンサが必要となり、その構成が複雑となり、かつ、高価となる他、画像形成装置の運転中にも動作し、この動作中は、画像形成が出来ない状態が発生し、ユーザに迷惑を及ぼすといった問題があった。
【０００６】
また、特許文献２記載の構成では、画像読取手段の光学系ユニットにおける感光体直前の最終ミラーの近傍の結露状態を検出しており、画像読取手段を備えない、例えば、プリンタには適用できない他、電源投入時にコピーランプを一時的に動作させて判定し、除湿装置を一定時間動作させているので、この動作中は、画像形成が出来ない状態が発生し、ユーザに迷惑を及ぼすといった問題があった。
【０００７】
本発明は、上述した課題を解決するためになされたものであり、簡単な構成により消費電力を抑えながら、結露の発生が防止できる画像形成装置を提供することを目的とする。
【課題を解決するための手段】
【０００８】
上記目的を達成するために、請求項１記載の発明では、電源に接続され、装置本体への電力供給をオン・オフする電源スイッチと、装置本体内に配設され、電子写真プロセスによって、感光体上に形成された潜像画像を現像し、感光体上に現像されたトナー像を被記録用紙上に転写して被記録用紙にトナー像を形成する画像形成手段と、未定着の前記トナー像を被記録用紙に定着する定着手段とを備えた画像形成装置において、装置本体内に、装置本体の温度上昇による影響を受けにくい場所に設置され、装置本体の外側近傍の温度を検知する温度検知手段と、感光体の近傍に配設された除湿ヒータと、除湿ヒータへの通電を制御するとともに、温度検知手段が検知した検知温度が入力される制御手段と、電源と除湿ヒータとの間に設けられた開閉器とを備え、制御手段は、温度検知手段が検知した検知温度を基準に装置本体内の湿気の状態を判別し、当該判別結果に基づき、開閉器を開閉して前記除湿ヒータへの通電を制御する。
【０００９】
請求項２記載の発明では、電源に接続され、装置本体への電力供給をオン・オフする電源スイッチと、装置本体内に配設され、電子写真プロセスによって、感光体上に形成された潜像画像を現像し、感光体上に現像されたトナー像を被記録用紙上に転写して被記録用紙にトナー像を形成する画像形成手段と、原稿を露光用光源で照射し、原稿の画像面で反射された原稿反射光をレンズ群に導入し、レンズ群により集光した原稿反射光を受光して電気信号に変換して画像を読み取る画像読取手段と、未定着の前記トナー像を被記録用紙に定着する定着手段とを備えた画像形成装置において、装置本体内に、装置本体の温度上昇による影響を受けにくい場所に設置され、装置本体の外側近傍の温度を検知する温度検知手段と、画像読取手段の近傍および感光体の各々の近傍に配設された除湿ヒータと、除湿ヒータへの通電を制御するとともに、温度検知手段が検知した検知温度が入力される制御手段と、電源と前記除湿ヒータとの間に設けられた開閉器とを備え、制御手段は、温度検知手段が検知した検知温度を基準に、装置本体内の湿気の状態を判別し、当該判別結果に基づき、開閉器を開閉して前記除湿ヒータへの通電を制御する。
【００１０】
請求項３記載の発明では、制御手段は、電源スイッチがオフの状態で、温度検知手段により周期的に温度を検知し、連続する前後に検知した検知温度を比較し、後に検知した検知温度から前に検知した事前検知温度を減算した温度差が、予め設定した温度差基準値以上のときに、除湿ヒータへの通電を開始し、電源スイッチがオンされたときに、除湿ヒータへの通電を停止する。
【００１１】
請求項４記載の発明では、制御手段は、電源スイッチがオフの状態で、温度検知手段により周期的に温度を検知し、連続する前後に検知した検知温度を比較し、後に検知した検知温度から前に検知した事前検知温度を減算した温度差が、予め設定した温度差基準値以上で、かつ、後に検知した検知温度が、予め設定した上限基準温度以下のときに、除湿ヒータへの通電を開始し、電源スイッチがオンされたときに、除湿ヒータへの通電を停止する。
【００１２】
請求項５記載の発明では、制御手段は、電源スイッチがオフの状態で、温度検知手段により周期的に温度を検知し、連続する前後に検知した検知温度を比較し、後に検知した検知温度から前に検知した事前検知温度を減算した温度差が、予め設定した温度差基準値以上で、かつ、予め設定した一定時間内に温度検知手段により検知した最高温度から最低温度を減算した温度差が、予め設定した高低差基準値以上のときに、除湿ヒータへの通電を開始し、電源スイッチがオンされたときに、除湿ヒータへの通電を停止する。
【００１３】
請求項６記載の発明では、制御手段は、電源スイッチがオフの状態で、温度検知手段により周期的に温度を検知し、連続する前後に検知した検知温度を比較し、後に検知した検知温度から前に検知した事前検知温度を減算した温度差が、予め設定した温度差基準値以上であるとともに、後に検知した検知温度が、予め設定した上限基準温度以下で、かつ、予め設定した一定時間内に温度検知手段により検知した最高温度から最低温度を減算した温度差が、予め設定した高低差基準値以上のときに、除湿ヒータへの通電を開始し、電源スイッチがオンされたときに、除湿ヒータへの通電を停止する。
【発明の効果】
【００１４】
請求項１記載の発明の構成によれば、装置本体の温度上昇による影響を受けにくい場所に設置された温度検知手段により、装置本体の外側近傍の温度を検知し、この検知温度を基準に、装置本体内の湿気の状態を判別し、当該判別結果に基づき、制御手段が、装置本体の電源スイッチがオフのときに開閉器を開閉し、これにより除湿ヒータへの通電を制御して結露の発生を防止している。従って、装置本体内の湿気の状態、即ち、結露発生の蓋然性を検出するためのセンサとしては、１個の温度検知手段のみでよく、その構成が簡単となり、かつ、安価となる。また、結露が発生しない画像形成装置の運転中には、除湿ヒータへの通電は行われないので、ユーザに迷惑を及ぼすことがない。更には、温度検知手段のみにより、結露発生の蓋然性を検出するようにしているので、画像読取手段を備えていないプリンタにも適用することができる、といった効果を奏する。
【００１５】
請求項２記載の発明の構成によれば、原稿を露光用光源で照射し、原稿の画像面で反射された原稿反射光をレンズ群に導入し、レンズ群により集光した原稿反射光を受光して電気信号に変換して画像を読み取る画像読取手段を備えた画像形成装置において、装置本体の温度上昇による影響を受けにくい場所に設置された温度検知手段により、装置本体の外側近傍の温度を検知し、この検知温度を基準に、装置本体内の湿気の状態を判別し、当該判別結果に基づき、制御手段が、装置本体の電源スイッチがオフのときに開閉器を開閉し、これにより除湿ヒータへの通電を制御して結露の発生を防止している。従って、装置本体内の湿気の状態、即ち、結露発生の蓋然性を検出するためのセンサとしては、１個の温度検知手段のみでよく、その構成が簡単となり、かつ、安価となる。また、結露が発生しない画像形成装置の運転中には、除湿ヒータへの通電は行われないので、ユーザに迷惑を及ぼすことがない。
【００１６】
請求項３記載の発明の構成によれば、除湿ヒータへの通電の開始は、電源スイッチがオフの状態で、温度検知手段により周期的に温度を検知し、連続する前後に検知した内の後に検知した検知温度から、その前に検知した事前検知温度を減算した温度差が、予め設定した温度差基準値以上のときに行い、電源スイッチがオンされたときに、除湿ヒータへの通電を停止するようにして結露の発生を防止している。従って、結露発生の蓋然性の高い温度差基準値以上のときにのみ、除湿ヒータへの通電が行われるので、結露の発生を効果的に防止し、しかも電力消費量を低減できる、といった効果を奏する。
【００１７】
請求項４記載の発明の構成によれば、除湿ヒータへの通電の開始は、電源スイッチがオフの状態で、温度検知手段により周期的に温度を検知し、連続する前後に検知した内の後に検知した検知温度から、その前に検知した事前検知温度を減算した温度差が、予め設定した温度差基準値以上のときで、かつ、後に検知した検知温度が、予め設定した上限基準温度以下のときに行い、電源スイッチがオンされたときに、除湿ヒータへの通電を停止するようにして結露の発生を防止している。従って、より結露発生の蓋然性の高い温度差基準値以上であって、上限基準温度以下のときにのみ、除湿ヒータへの通電が行われるので、結露の発生をより効果的に防止し、しかも、より電力消費量を低減できる、といった効果を奏する。
【００１８】
請求項５記載の発明の構成によれば、除湿ヒータへの通電の開始は、電源スイッチがオフの状態で、温度検知手段により周期的に温度を検知し、連続する前後に検知した内の後に検知した検知温度から、その前に検知した事前検知温度を減算した温度差が、予め設定した温度差基準値以上のときで、かつ、予め設定した一定時間内に温度検知手段により検知した最高温度から最低温度を減算した温度差が、予め設定した高低差基準値以上のときに行い、電源スイッチがオンされたときに、除湿ヒータへの通電を停止するようにして結露の発生を防止している。従って、より結露発生の蓋然性の高い温度差基準値以上であって、高低差基準値以上のときにのみ、除湿ヒータへの通電が行われるので、結露の発生をより効果的に防止し、しかも、より電力消費量を低減できる、といった効果を奏する。
【００１９】
請求項６記載の発明の構成によれば、除湿ヒータへの通電の開始は、電源スイッチがオフの状態で、温度検知手段により周期的に温度を検知し、連続する前後に検知した内の後に検知した検知温度から、その前に検知した事前検知温度を減算した温度差が、予め設定した温度差基準値以上であるとともに、後に検知した検知温度が、予め設定した上限基準温度以下で、かつ、予め設定した一定時間内に温度検知手段により検知した最高温度から最低温度を減算した温度差が、予め設定した高低差基準値以上のときに行い、電源スイッチがオンされたときに、除湿ヒータへの通電を停止して結露の発生を防止している。従って、結露発生の蓋然性の高い温度差基準値以上であるとともに、上限基準温度以下で、かつ、高低差基準値以上のときにのみ、除湿ヒータへの通電が行われるので、結露の発生を効果的に防止し、しかも、より電力消費量を低減できる、といった効果を奏する。
【発明を実施するための最良の形態】
【００２０】
（第１実施形態）
以下に、本発明の具体的な実施形態について図面を参照しながら説明する。図１は、本発明の第１実施形態に係る画像形成装置としての複写機に適用した場合の概略構成を示す概略構成図である。
【００２１】
図１に示す画像形成装置である複写機１は、原稿を露光用光源で照射し、画像を読み取る画像読取手段１０を備えている。複写機１本体の下部には、給紙部２０が配設されている。この給紙部２０の図において上方には、画像形成手段３０が、また、この画像形成手段３０の図において左側に定着手段４０が配設されている。これら画像形成手
段３０および定着手段４０の上方には、光学系部材などからなる画像読取手段１０が配設されている。また、被記録用紙Ｐを給紙部２０から画像形成手段３０、定着手段４０を経て用紙排出に至る用紙搬送部５０が形成されている。
【００２２】
画像読取手段１０は、コンタクトガラス１１の下方から原稿の画像面に向けて光を照射する、例えば、ＬＥＤアレイや蛍光管ランプなどの露光用光源１２と、露光用光源１２からの光を効率良く原稿の画像面に与えるための反射板１３と、原稿の画像面で反射された原稿反射光を反射させる第１ミラー１４、第２ミラー１５、第３ミラー１６と、第３ミラー１６からの反射光を導入して集光するレンズ群１７と、レンズ群１７で集光された原稿反射光を受光して電気信号（画像データ）に変換する、例えば、ＣＣＤなどの固体撮像部１８とから構成されている。この構成により原稿の画像情報を読み取る。読み取られた画像情報は、例えば、後述する制御手段（不図示）の記憶部に記憶され、光走査ユニット３３に伝えられる。なお、図１において、原稿反射光の光路を一点鎖線で示す。
【００２３】
給紙部２０は、給紙カセット２１に積層載置された被記録用紙Ｐの束を１枚ずつ用紙搬送部５０に給紙するようになっている。用紙搬送部５０は、給紙部２０から給紙された被記録用紙Ｐを、搬送ローラ対２２およびレジストローラ対２３によって画像形成手段３０に向けて搬送し、さらに画像形成手段３０から定着手段４０において所定のトナー画像が形成され、定着された被記録用紙Ｐを排出ローラ対２４によって排出トレイ２５上に排出するようになっている。
【００２４】
画像形成手段３０は、電子写真プロセスによって被記録用紙Ｐに所定のトナー像を形成するものであり、回転可能に軸支された、例えば、ドラム状の感光体３１と、感光体３１の周囲にその回転方向に沿って、帯電ユニット３２、光走査ユニット３３、現像ユニット３４、転写ユニット３５、クリーナー３６および除電ユニット３７を備えている。帯電ユニット３２は、コロナ放電によって感光体３１の表面に所定電位を与えるものである。光走査ユニット３３は、画像読取手段１０によって読み取られた原稿の画像情報に応じて変調された光ビーム、例えば、レーザビームＢを感光体３１に照射する。これにより、感光体３１の表面の電位を選択的に減衰させて、この感光体３１の表面である被走査面上に静電潜像を形成する。現像ユニット３４は、上記静電潜像をトナーにより現像して、感光体３１の表面にトナー像を形成するものである。転写ユニット３５は、感光体３１の表面のトナー像を被記録用紙Ｐに転写するものである。クリーナー３６は、転写後の感光体３１の表面に残留しているトナーを除去するものであり、除電ユニット３７は、感光体３１の表面の残留電荷を除去するものである。
【００２５】
定着手段４０は、前記画像形成手段３０の被記録用紙Ｐの搬送方向の下流側に配置され、画像形成手段３０においてトナー像が転写された被記録用紙Ｐを、加熱ローラ４１およびこの加熱ローラ４１に押し付けられる加圧ローラ４２によって挟んで加熱し、被記録用紙Ｐ上にトナー像を定着させるものである。
【００２６】
また複写機１は、感光体３１へのレーザビームなどの光の照射位置を自動的に調整できる調整手段（不図示）を備えている。
この複写機１の基本的な作動状態を簡単に説明する。帯電ユニット３２により図１で時計方向に回転する感光体３１が一様に帯電され、画像読取手段１０で読み取られた画像情報に基づいて、例えば、レーザ走査装置などからなる光走査ユニット３３からのレーザビームＢにより感光体３１上に静電潜像が形成され、現像ユニット３４により静電潜像に現像剤が付着されてトナー像が形成される。
【００２７】
上記のようにしてトナー像が形成された感光体３１に向けて、給紙部２０から被記録用紙Ｐが画像形成手段３０に搬送される。このとき、被記録用紙Ｐは、レジストローラ対２３により、感光体３１に形成されたトナー像と同期を取りながら搬送される。その後、画像形成手段３０において転写ユニット３５により感光体３１の表面におけるトナー像が被記録用紙Ｐに転写される。そして、未定着トナー像を担持した被記録用紙Ｐは、定着手段４０に搬送されてトナー像が定着される。定着手段４０を通過した被記録用紙Ｐは、排出ローラ対２４によって排出トレイ２５上に排出される。
【００２８】
そして、転写ユニット３５による転写後に感光体３１は、クリーナー３６および除電ユニット３７で残留トナー、残留電荷を除去して、必要に応じて再び帯電ユニット３２で帯電される。
【００２９】
而して、本発明に従い、複写機１の装置本体２内には、本体装置である複写機１の温度上昇による影響を受けにくい場所、例えば、給紙部２０の側方に、装置本体２の外側近傍の温度を検知する温度検知手段３が設置されている。また、画像読取手段１０の近傍、例えば、露光用光源１２、反射板１３、第１ミラー１４、第２ミラー１５、第３ミラー１６を載置した移動枠体を移動可能に支持する支持体１９上に、画像読取手段１０近傍の除湿を図るために、例えば、電熱ヒータなどからなる除湿ヒータ４が配設されている。また、感光体３１の近傍、例えば、感光体３１の下部の本体フレーム（不図示）上に、画像形成手段３０近傍、特に感光体３１の除湿を図るために、例えば、電熱ヒータなどからなる除湿ヒータ５が配設されている。
【００３０】
図２は、上述の第１実施形態の複写機１の概略構成を示すブロック図である。複写機１には、電源ＡＣに接続された電源スイッチ６１、電源ユニット６２、補助電源ユニット６３、開閉器６４、画像読取手段１０、給紙部２０、画像形成手段３０、定着手段４０、用紙搬送部５０、各種入力キースイッチなどとして機能する操作表示部７０、装置本体２の外側近傍の温度を検知する温度検知手段３、除湿ヒータ４、除湿ヒータ５および複写機１全体の制御を司る制御手段８０が備えられている。この制御手段８０によって、後述するように、除湿ヒータ４および除湿ヒータ５への通電制御が行われる。操作表示部７０は、印刷指示入力用のプリントキー、印刷枚数などの入力用のテンキーなどからなる操作部と、複写機１で操作可能な各機能、用紙詰まりなどのトラブル状況などを表示する液晶パネルなどの表示装置とを備えている。
【００３１】
制御手段８０には、主演算機能を行う演算部および複写機１の動作制御用のプログラムなどが記憶されたＲＯＭや、各プログラムの作業領域などとして一時的にデータを保管および画像読取手段１０で得られた原稿の画像データを記憶するＲＡＭなどからなる記憶部が内蔵されたマイクロコンピュータなどにより構成されている。そして、制御手段８０は、操作表示部７０の図示しないスタートキーが押圧されると、複写動作を行わせる制御信号を給紙部２０、画像読取手段１０、画像形成手段３０、定着手段４０、用紙搬送部５０の各ブロックに出力してその動作を制御する。また、演算部は、後述する除湿ヒータ４および除湿ヒータ５への通電を制御し、このために装置本体２内の湿気の状態を判別するように構成されている。また、記憶部には、同じく、後述する除湿ヒータ４および除湿ヒータ５への通電を制御するための各種プログラムや制御するための制御条件、更には収集したデータ即ち、温度検知手段３により検知した各種の検知温度を記憶し更新するように構成されている。また、除湿ヒータ４および除湿ヒータ５への通電を制御するための制御条件などは、操作表示部７０の入力キースイッチを操作し、表示装置で確認しながら設定および更新ができる。
【００３２】
電源スイッチ６１は、電源ＡＣに接続されており、オンしたときには、電源ユニット６２を介して制御手段８０および装置本体に電力を供給し、オフしたときには、補助電源ユニット６３を介して制御手段８０に電力を供給するとともに、除湿ヒータ４および除湿ヒータ５に電力を供給することが可能となる。除湿ヒータ４および除湿ヒータ５への通電は、開閉器６４の開閉により行われ、この開閉器６４の制御は、制御手段８０からの制御信号に基づいて行われる。開閉器６４としては、例えば、電磁リレーやソリッドステートリレーなどを用いることができる。
【００３３】
次に、複写機１内の結露を防止するために、装置本体２の外側近傍の温度を検知し、除湿ヒータ４および除湿ヒータ５への通電を制御する制御条件について、図３を参照しながら説明する。図３は、室温Ｓ１および複写機１内の内部温度Ｓ２の変化を示すグラフで、縦軸は温度を、横軸は時間である。
【００３４】
本発明者らが種々実験し、検証したところ、複写機１が停止している状態で、夜明け後から室温Ｓ１が上がり始め、これに伴って複写機１内の内部温度Ｓ２も上昇するが、その反応は鈍く、しかも、室内の空調が入り、更に、複写機１の電源スイッチ６１がオンされ、複写機１の冷却ファン（不図示）駆動して、複写機１内に外気が取り込まれることにより、前述の温度差が一層広がり、結露を助長することが判明した。このような状況を更に詳細に回析し、検討した結果、結露の発生する蓋然性が高くなるのは、図３において、室温Ｓ１が内部温度Ｓ２より高くなり、その温度の差が一定範囲以上となったときである。この傾向は、室温Ｓ１で見ると、温度上昇が急激なとき、即ち、周期的に温度を検知し、連続する前後に検知した内の時間ｔ１に検知した事前検知温度Ｔ１と、その後一定時間ｔ経過後であるｔ２の時点で検知した検知温度Ｔ２と見ると、後に検知した検知温度Ｔ２からその前に検知した事前検知温度Ｔ１を減算した温度差Ｔ３が一定温度以上、例えば、温度を検知する周期が１０分の場合で、１５℃になったときである。この場合、その差が一定温度以上であっても、室温である後に検知した検知温度Ｔ２が、１５℃以下に下がらないと結露せず、１５℃を超えるときには、殆ど結露しない。更に、一定時間、例えば、２４時間内に検知した室内の検知温度の最高温度Ｔｈと、最低温度Ｔｌｏとの差が、例えば、１５℃以下では、殆ど結露せず、１５℃を超えると結露する蓋然性が極めて高いことが判明した。なお、このような結露が発生する可能性が高い設置環境としては、ビルなどの事務所よりも、１〜２階の低層建屋に設置された場合が高いことが判明した。従って、設置環境によっても、その制御条件を変更できることが望ましい。
【００３５】
以上の検証結果から、装置本体２内の湿気の状態を判別し、当該判別結果に基づき、開閉器６４を開閉して除湿ヒータ４および除湿ヒータ５への通電を制御する制御条件としては、以下の４つが挙げられる。第１制御条件としては、電源スイッチがオフの状態で、装置本体２の近傍の室温を周期的に検知し、連続する前後に検知した検知温度を比較する。即ち、後に検知した検知温度Ｔ２から、一定時間ｔ、例えば、１０分前に検知した事前検知温度Ｔ１を減算した温度差Ｔ３が、予め設定した温度差基準値Ｔｘ（例えば、１５℃）以上、になったら除湿ヒータ４および除湿ヒータ５をオンする。
【００３６】
また、第２制御条件としては、前述の第１制御条件を満たし、かつ、後に検知した検知温度Ｔ２が上限基準温度Ｔｙ（例えば、１５℃）以下に下がったときに、除湿ヒータ４および除湿ヒータ５をオンする。即ち、後に検知した検知温度Ｔ２が、予め設定した上限基準温度Ｔｙを超えるときには、より結露発生の蓋然性が少ないので、除湿ヒータ４および除湿ヒータ５をオンせず、より省電力化を図る。
【００３７】
また、第３制御条件としては、前述の第１制御条件を満たし、かつ、予め設定した一定時間（例えば、２４時間）内に検知した検知温度の最高温度Ｔｈと、最低温度Ｔｌｏとの差が、予め設定した高低差基準値Ｔｚ（例えば、１５℃）以上のときに、除湿ヒータをオンする。即ち、最高温度Ｔｈと、最低温度Ｔｌｏとの差が、予め設定した高低差基準値Ｔｚ未満のときには、より結露発生の蓋然性が少ないので、除湿ヒータ４および除湿ヒータ５をオンせず、より省電力化を図る。
【００３８】
また、第４制御条件としては、前述の第１制御条件〜第３制御条件を満たしたとき、即ち、電源スイッチがオフの状態で、後に検知した検知温度Ｔ２から、一定時間ｔ前に検知した事前検知温度Ｔ１を減算した温度差Ｔ３が、予め設定した温度差基準値Ｔｘ以上であるとともに、後に検知した検知温度Ｔ２が上限基準温度Ｔｙ以下に下がり、かつ、予め設定した一定時間内に検知した検知温度の最高温度Ｔｈと、最低温度Ｔｌｏとの差が、予め設定した高低差基準値Ｔｚ以上のときに、除湿ヒータ４および除湿ヒータ５をオンする。
【００３９】
上述した温度差基準値Ｔｘ、上限基準温度Ｔｙおよび高低差基準値Ｔｚは、この種装置が設置される地域や設置環境、更には、稼動される時期によっても左右されるので、例えば、予め実機を用いたて検証し、検証データに基づいて決定するようにすればよい。また、これらの設定に当たっては、出荷時や現地据付時、更には、保守点検時などに、操作表示部７０などから行うようにすればよい。
【００４０】
次に、上述した第１制御条件を適用した複写機１内の結露を防止するために、装置本体２の外側近傍の温度を検知し、除湿ヒータ４および除湿ヒータ５への通電を制御する構成について、図４および上述した図１乃至図３を参照しながら説明する。図４は、本発明の第１実施形態に係る複写機１の除湿処理を説明するためのフローチャートである。
【００４１】
先ず、電源スイッチ６１がオフの状態で、ステップＳ１において、温度検知手段３により装置本体２の外側近傍の温度が検知され、検知した事前検知温度Ｔ１が、制御手段８０に記憶され、ステップＳ２に移行し、タイマなどにより、一定時間ｔ、例えば、１０分が計測される。
【００４２】
この１０分が経過すると、ステップＳ３において、再度、温度検知手段３により装置本体の外側近傍の温度が検知され、検知された検知温度Ｔ２が制御手段８０に伝達され、ステップＳ４に移る。
【００４３】
ステップＳ４において、制御手段８０により、装置本体２内の湿気の状態を判別するために、連続する前後に検知した事前検知温度Ｔ１と後に検知した検知温度Ｔ２との対比を行う。即ち、後に検知した検知温度Ｔ２からその前に検知した事前検知温度Ｔ１を減算し、温度差Ｔ３（Ｔ２−Ｔ１＝Ｔ３）を求める。また、制御手段８０に記憶された事前検知温度Ｔ１の値を、後に検知した検知温度Ｔ２により順次更新し、ステップＳ５に移る。
【００４４】
次に、ステップＳ５において、制御手段８０により、装置本体２内の湿気の状態を判別する。即ち、温度差Ｔ３と予め設定した温度差基準値Ｔｘとの比較が行われ、温度差Ｔ３が、温度差基準値Ｔｘ以上（Ｔ３≧Ｔｘ）ならば、制御手段８０から、開閉器６４を閉路する制御信号が発せられる。また、温度差Ｔ３が、温度差基準値Ｔｘ未満（Ｔ３＜Ｔｘ）ならば、ステップＳ２に戻る。
【００４５】
ステップＳ６において、開閉器６４は、制御手段８０から制御信号が伝達され、その接点が閉路され除湿ヒータ４および除湿ヒータ５への通電が行われる。これにより、装置本体２内、特に画像読取手段１０および画像形成手段３０の感光体３１近傍の温度が上昇し、結露の発生は事前に防止される。
【００４６】
その後、ステップＳ７において、電源スイッチ６１がオンされたことが確認されると、ステップＳ８に移行し、除湿ヒータ４および除湿ヒータ５への通電が停止され、また、制御手段８０からの制御信号により開閉器６４は、開路され、一連の除湿処理を終える。
【００４７】
以上の構成による本実施形態よれば、本体装置の温度上昇による影響を受けにくい場所に設置された温度検知手段３により、装置本体２の外側近傍の温度を検知し、この検知温度を基準に、制御手段８０は、装置本体内の湿気の状態を判別し、当該判別結果に基づき、記憶部に予め設定された制御条件により、装置本体の電源スイッチ６１がオフのときに制御手段８０から除湿ヒータ４および除湿ヒータ５への通電を制御することにより結露の発生を防止している。従って、結露発生の蓋然性を検出するためのセンサとしては、１個の温度検知手段３のみでよく、その構成が簡単となり、かつ、安価となる。また、結露が発生しない画像形成装置１の運転中には、除湿ヒータ４および除湿ヒータ５への通電は行われないので、ユーザに迷惑を及ぼすことがない。更には、温度検知手段３により、結露発生の蓋然性を検出するようにしているので、画像読取手段１０を備えていないプリンタにも適用することができる、といった効果を奏する。
【００４８】
また、除湿ヒータ４および除湿ヒータ５への通電の開始は、電源スイッチ６１がオフの状態で、温度検知手段３により、後に検知した検知温度Ｔ２から、予め事前に検知した事前検知温度Ｔ１を減算した温度差Ｔ３が、予め設定した温度差基準値Ｔｘ以上のときに行い、電源スイッチ６１がオンされたときに、除湿ヒータ４および除湿ヒータ５への通電を停止するようにして結露の発生を防止している。従って、結露発生の蓋然性の高い温度差基準値Ｔｘ以上のときにのみ、除湿ヒータ４および除湿ヒータ５への通電が行われるので、結露の発生を効果的に防止し、しかも、電力消費量を低減できる、といった効果を奏する。
【００４９】
（第２実施形態）
次に、上述した第２制御条件を適用した複写機１内の結露を防止するために、装置本体２の外側近傍の温度を検知し、除湿ヒータ４および除湿ヒータ５への通電を制御する構成について、図５および上述した図１乃至図４を参照しながら説明する。図５は、本発明の第２実施形態に係る複写機１の除湿処理を説明するためのフローチャートである。以下、上述した第１実施形態との相違点を中心に説明する。
【００５０】
本実施形態では、上述の実施形態１と同様、ステップＳ１からステップＳ５までの処理が行われ、ステップＳ５において、制御手段８０により、温度差Ｔ３と、制御手段８０に予め設定した温度差基準値Ｔｘとの比較が行われ、温度差Ｔ３が、温度差基準値Ｔｘ以上（Ｔ３≧Ｔｘ）ならば、ステップＳ２６に移る。また、温度差Ｔ３が、温度差基準値Ｔｘ未満（Ｔ３＜Ｔｘ）ならば、ステップＳ２に戻る。
【００５１】
ステップＳ２６において、制御手段８０により、後に検知した検知温度Ｔ２が、制御手段８０に記憶せしめた上限基準温度Ｔｙと比較される。そして、後に検知した検知温度Ｔ２が、予め設定した上限基準温度Ｔｙ以下（Ｔ２≦Ｔｙ）ならば、制御手段８０から、開閉器６４を閉路する制御信号が発せられる。また、後に検知した検知温度Ｔ２が上限基準温度Ｔｙ超える（Ｔ２＞Ｔｙ）ならば、ステップＳ２に戻る。
【００５２】
ステップＳ２７において、開閉器６４は、制御手段８０から制御信号が伝達され、その接点が閉路され除湿ヒータ４および除湿ヒータ５への通電が行われる。これにより、装置本体内、特に画像読取手段１０および画像形成手段３０の感光体３１近傍の温度が上昇し、結露の発生は事前に防止される。
【００５３】
その後、ステップＳ８において、電源スイッチ６１がオンされたことが確認されると、ステップＳ２９に移行し、除湿ヒータ４および除湿ヒータ５への通電が停止され、また、制御手段８０からの制御信号により開閉器６４は、開路され、一連の除湿処理を終える。
【００５４】
以上の構成による本実施形態よれば、除湿ヒータ４および除湿ヒータ５への通電の開始は、電源スイッチ６１がオフの状態で、温度検知手段３により、後に検知した検知温度Ｔ２から、予め事前に検知した事前検知温度Ｔ１を減算した温度差Ｔ３が、予め設定した温度差基準値Ｔｘ以上のときで、かつ、後に検知した検知温度Ｔ２が、予め設定した上限基準温度Ｔｙ以下のときに行い、電源スイッチ６１がオンされたときに、除湿ヒータ４および除湿ヒータ５への通電を停止するようにして結露の発生を防止している。従って、より結露発生の蓋然性の高い温度差基準値Ｔｘ以上であって、上限基準温度Ｔｙ以下のときにのみ、除湿ヒータ４および除湿ヒータ５への通電が行われるので、結露の発生をより効果的に防止し、しかも、より電力消費量を低減できる、といった効果を奏する。
【００５５】
（第３実施形態）
次に、上述した第３制御条件を適用した複写機１内の結露を防止するために、装置本体２の外側近傍の温度を検知し、除湿ヒータ４および除湿ヒータ５への通電を制御する構成について、図６および上述した図１乃至図４を参照しながら説明する。図６は、本発明の第３実施形態に係る複写機１の除湿処理を説明するためのフローチャートである。以下、上述した第１実施形態との相違点を中心に説明する。
【００５６】
本実施形態では、上述の実施形態１と同様、ステップ１からステップＳ３までの処理が行われ、ステップＳ３４において、制御手段８０により、記憶部に記憶された事前検知温度Ｔ１と後に検知した検知温度Ｔ２との対比を行う。即ち、後に検知した検知温度Ｔ２から事前検知温度Ｔ１を減算し、温度差Ｔ３（Ｔ２−Ｔ１＝Ｔ３）を求める。また、記憶部に記憶された事前検知温度Ｔ１の値を、後に検知した検知温度Ｔ２により順次更新する。また、温度差Ｔ３が「＋」ならば、後に検知した検知温度Ｔ２と、制御手段８０に記憶された一定時間、例えば、２４時間内の最高温度Ｔｈとを比較し、後に検知した検知温度Ｔ２が高ければ、記憶してある最高温度ＴｈをＴ２にて更新する。即ち、最高温度Ｔｈの更新を行う。また、温度差Ｔ３が「−」ならば、後に検知した検知温度Ｔ２と、制御手段８０に記憶された一定時間内の最低温度Ｔｌｏとを比較し、後に検知した検知温度Ｔ２が低ければ、記憶してある最低温度ＴｌｏをＴ２にて更新する。即ち、最低温度Ｔｌｏの更新を行う。
【００５７】
次に、ステップＳ３５において、制御手段の演算部により、温度差Ｔ３と予め設定し記憶部に記憶した温度差基準値Ｔｘとの比較が行われ、温度差Ｔ３が、温度差基準値Ｔｘ以上（Ｔ３≧Ｔｘ）ならば、ステップＳ３６に移る。また、温度差Ｔ３が、温度差基準値Ｔｘ未満（Ｔ３＜Ｔｘ）ならば、ステップＳ２に戻る。
【００５８】
ステップＳ３６において、制御手段８０に記憶せしめた一定時間内に検知した検知温度の最高温度Ｔｈと、最低温度Ｔｌｏとの対比が行われる。即ち、最高温度Ｔｈから最低温度Ｔｌｏを減算し、最高温度Ｔｈと最低温度Ｔｌｏの温度差Ｔ４（Ｔｈ−Ｔｌｏ＝Ｔ４）を求め、ステップＳ３７に移る。
【００５９】
ステップＳ３７において、最高温度Ｔｈと最低温度Ｔｌｏの温度差Ｔ４が、予め設定し、制御手段８０に記憶せしめた高低差基準値Ｔｚ以上との比較が行われる。最高温度Ｔｈと最低温度Ｔｌｏの温度差Ｔ４が、予め設定し高低差基準値Ｔｚ以上（Ｔ４≧Ｔｚ）ならば、制御手段８０から、開閉器６４を閉路する制御信号が発せられる。また、最高温度Ｔｈと最低温度Ｔｌｏの温度差Ｔ４が、予め設定し高低差基準値Ｔｚ未満（Ｔ４＜Ｔｚ）ならば、ステップＳ２に戻る。
【００６０】
ステップＳ３８において、開閉器６４は、制御手段８０から制御信号が伝達され、その接点が閉路され除湿ヒータ４および除湿ヒータ５への通電が行われる。これにより、装置本体内、特に画像読取手段１０および画像形成手段３０の感光体３１近傍の温度が上昇し、結露の発生は事前に防止される。
【００６１】
その後、ステップＳ３９において、電源スイッチ６１がオンされたことが確認されると、ステップＳ４０に移行し、除湿ヒータ４および除湿ヒータ５への通電が停止され、また、制御手段８０からの制御信号により開閉器６４は、開路され、一連の除湿処理を終える。
【００６２】
以上の構成による本実施形態よれば、除湿ヒータ４および除湿ヒータ５への通電の開始は、温度検知手段３により、後に検知した検知温度Ｔ２から、予め事前に検知した事前検知温度Ｔ１を減算した温度差Ｔ３が、予め設定した温度差基準値Ｔｘ以上のときで、かつ、予め設定した一定時間内に温度検知手段３により検知した最高温度Ｔｈから最低温度Ｔｌｏを減算した温度差Ｔ４が、予め設定した高低差基準値Ｔｚ以上のときに行い、電源スイッチ６１がオンされたときに、除湿ヒータ４および除湿ヒータ５への通電を停止するようにして結露の発生を防止している。従って、より結露発生の蓋然性の高い温度差基準値Ｔｘ以上であって、高低差基準値Ｔｚ以上のときにのみ、除湿ヒータ４および除湿ヒータ５への通電が行われるので、結露の発生をより効果的に防止し、しかも、より電力消費量を低減できる、といった効果を奏する。
【００６３】
（第４実施形態）
次に、上述した第４制御条件を適用した複写機１内の結露を防止するために、装置本体２の外側近傍の温度を検知し、除湿ヒータ４および除湿ヒータ５への通電を制御する構成について、図７および上述した図１乃至図６を参照しながら説明する。図７は、本発明の第４実施形態に係る複写機１の除湿処理を説明するためのフローチャートである。以下、上述した第３実施形態との相違点を中心に説明する。
【００６４】
本実施形態では、上述の実施形態３と同様、ステップＳ１からステップＳ３およびステップＳ３４、ステップ３５までの処理が行われ、ステップＳ４１において、制御手段の演算部により、後に検知した検知温度Ｔ２が、予め設定し、制御手段８０に記憶せしめた上限基準温度Ｔｙと比較される。そして、後に検知した検知温度Ｔ２が、上限基準温度Ｔｙ以下（Ｔ２≦Ｔｙ）ならば、ステップＳ４２に移る。また、後に検知した検知温度Ｔ２が上限基準温度Ｔｙ超える（Ｔ２＞Ｔｙ）ならば、ステップＳ２に戻る。
【００６５】
ステップＳ４２において、制御手段８０に記憶せしめた一定時間内に検知した検知温度の最高温度Ｔｈと、最低温度Ｔｌｏとの対比を行われる。即ち、最高温度Ｔｈから最低温度Ｔｌｏを減算し、最高温度Ｔｈと最低温度Ｔｌｏの温度差Ｔ４（Ｔｈ−Ｔｌｏ＝Ｔ４）を求め、ステップＳ４３に移る。
【００６６】
ステップＳ４３において、最高温度Ｔｈと最低温度Ｔｌｏの温度差Ｔ４が、予め設定し、制御手段８０に記憶せしめた高低差基準値Ｔｚ以上との比較が行われる。最高温度Ｔｈと最低温度Ｔｌｏの温度差Ｔ４が、予め設定し高低差基準値Ｔｚ以上（Ｔ４≧Ｔｚ）ならば、制御手段８０から、開閉器６４を閉路する制御信号が発せられる。また、最高温度Ｔｈと最低温度Ｔｌｏの温度差Ｔ４が、予め設定し高低差基準値Ｔｚ未満（Ｔ４＜Ｔｚ）ならば、ステップＳ２に戻る。
【００６７】
ステップＳ４４において、開閉器６４は、制御手段８０から制御信号が伝達され、その接点が閉路され除湿ヒータ４および除湿ヒータ５への通電が行われる。これにより、装置本体内、特に画像読取手段１０および画像形成手段３０の感光体３１近傍の温度が上昇し、結露の発生が事前に防止される。
【００６８】
その後、ステップＳ４５において、電源スイッチ６１がオンされたことが確認されると、ステップ４６に移行し、除湿ヒータ４および除湿ヒータ５への通電が停止され、また、制御手段８０からの制御信号により開閉器６４は、開路され、一連の除湿処理を終える。
【００６９】
以上の構成による本実施形態よれば、除湿ヒータ４および除湿ヒータ５への通電の開始は、電源スイッチ６１がオフの状態で、温度検知手段３により、後に検知した検知温度Ｔ２から、予め事前に検知した事前検知温度Ｔ１を減算した温度差Ｔ３が、予め設定した温度差基準値Ｔｘ以上であるとともに、後に検知した検知温度Ｔ２が、予め設定した上限基準温度Ｔｙ以下で、かつ、予め設定した一定時間内に温度検知手段３により検知した最高温度Ｔｈから最低温度Ｔｌｏを減算した温度差Ｔ４が、予め設定した高低差基準値Ｔｚ以上のときに行い、電源スイッチ６１がオンされたときに、除湿ヒータ４および除湿ヒータ５への通電を停止して結露の発生を防止している。従って、結露発生の蓋然性の高い温度差基準値Ｔｘ以上であるとともに、上限基準温度Ｔｙ以下で、かつ、高低差基準値Ｔｚ以上のときにのみ、除湿ヒータ４および除湿ヒータ５への通電が行われるので、結露の発生を効果的に防止し、しかも、より電力消費量を低減できる、といった効果を奏する。
【００７０】
なお、上述した各実施形態は、本発明の好適な実施形態であるが、本発明はこれに限定されるものではなく、本発明の要旨を逸脱しない範囲において、種々変形実施可能である。
【００７１】
本実施形態においては、除湿ヒータ４および除湿ヒータ５への通電の停止は、電源スイッチ６１がオンされることを条件としたが、例えば、上述した第１制御条件〜第４制御条件の何れかを満たさなくなった時点で、停止するようにしてもよいのは勿論である。このようにすれば、より省電力化が図れる。
【００７２】
また、上述した実施形態１では、電源スイッチ６１がオフのときに電源スイッチ６１に接続された補助電源ユニット６３介して制御手段８０に電力を供給するようにしたが、これに換えて、電源スイッチ６１に接続せず、直接、補助電源ユニット６３を電源ＡＣに接続しても良い。
【００７３】
また、制御手段８０にバッテリなどからなる補助電源を設け、電源スイッチ６１がオフのときには、補助電源から制御手段８０に電力を供給するようにしても良い。
また、除湿ヒータ４および除湿ヒータ５への電力の供給は、電源スイッチ６１を介さず、直接、開閉器６４を電源ＡＣに接続することにより、行っても良いのは、勿論である。
【００７４】
また、温度検知手段３としては、本発明のためのみに設けなくても、例えば、現像のトナー制御などのために用いている雰囲気温度センサなどであっても、装置本体２の外側近傍の温度を検知することが出来れば、この雰囲気温度センサなどを、本発明における温度検知手段３として兼用してもよいのは、勿論である。
【００７５】
また、温度検知手段３でデータを読み取る間隔が短いとき、即ち、事前検知温度Ｔ１から後に検知した検知温度Ｔ２を検知するまでの一定時間ｔが短時間の時には、温度検知手段３などの誤差を補正するために、必要に応じて温度検知手段３で検知する事前検知温度Ｔ１に補正値αを加味しても良い。
【００７６】
また、本実施形態においては、ドラム状の感光体３１を使用しているが、感光体３１の形状には限定はなく、上述したドラム状以外の公知の形状を用いることができる。例えば、シート状、ベルト状、ウェブ状などの形状が挙げられる。
【産業上の利用可能性】
【００７７】
本発明の活用例としては、画像形成手段を備えた画像形成装置が挙げられる。
【図面の簡単な説明】
【００７８】
【図１】本発明の第１実施形態に係る画像形成装置としての複写機に適用した場合の概略構成を示す概略構成図である。
【図２】図１に示す第１実施形態の複写機１の概略構成を示すブロック図である。
【図３】室温Ｓ１および複写機１内の内部温度Ｓ２の変化を示すグラフで、縦軸は温度を、横軸は時間である。
【図４】本発明の第１実施形態に係る複写機１の除湿処理を説明するためのフローチャートである。
【図５】本発明の第２実施形態に係る複写機１の除湿処理を説明するためのフローチャートである。
【図６】本発明の第３実施形態に係る複写機１の除湿処理を説明するためのフローチャートである。
【図７】本発明の第４実施形態に係る複写機の接触式温度センサの動作を説明するためのフローチャートである。
【符号の説明】
【００７９】
１        画像形成装置（複写機）
２        装置本体
３        温度検知手段
４        除湿ヒータ
５        除湿ヒータ
１０      画像読取手段
１２      露光用光源
１７      レンズ群
３０      画像形成手段
３１      感光体
４０      定着手段
６１      電源スイッチ
６４      開閉器
８０      制御手段
ＡＣ      電源
Ｐ        被記録用紙
Ｔ１      事前検知温度
Ｔ２      検知温度
Ｔ３      温度差
Ｔ４      温度差
Ｔｈ      最高温度
Ｔｌｏ    最低温度
Ｔｘ      温度差基準値
Ｔｙ      上限基準温度
Ｔｚ      高低差基準値
【図１】
2006064764.tif 000003
【図２】
2006064764.tif 000004
【図３】
2006064764.tif 000005
【図４】
2006064764.tif 000006
【図５】
2006064764.tif 000007
【図６】
2006064764.tif 000008
【図７】
2006064764.tif 000009